(57)【要約】【課題】  フランジ部材を設けることなく接続部材を浴槽に固定することができ、浴槽排水口の寸法誤差に対しても適応可能な浴槽排水栓装置を提供する。【解決手段】  浴槽排水口は、上端から下方に垂れ下がるように形成された垂下部と、垂下部の下端から内方側に突出形成された第１係止部とを備え、排水栓装置は、浴槽排水口を開閉可能な栓蓋と、操作部の動きを伝達するワイヤーと栓蓋との間に接続され、弾性変形することで第１係止部と係止可能な第２係止部を有する接続部材と、を備え、第２係止部は、第１係止部の上部に載置された状態で、該外側面が垂下部の内面と当接する上側係止部と、第１係止部の下部に位置し、第１係止部と係止する下側係止部と、上側係止部と下側係止部との間に形成され、該外側面が第１係止部と当接することなく隙間が形成された状態で係止される中間係止部と、を有することを特徴とする。【選択図】図１
2010001678.tif 000002
【特許請求の範囲】
【請求項１】
浴槽排水口を遠隔操作により開閉可能な排水栓装置を備えた浴槽排水構造であって、
前記浴槽排水口は、上端から下方に垂れ下がるように形成された垂下部と、前記垂下部の下端から内方側に突出形成された第１係止部とを備え、
前記排水栓装置は、前記浴槽排水口を開閉可能な栓蓋と、前記栓蓋の開閉を遠隔操作する操作部と、前記操作部の動きを伝達するワイヤーと前記栓蓋との間に接続され、前記排水口上方からの押圧操作により弾性変形することで前記第１係止部と係止可能な第２係止部を有する接続部材と、を備え、
前記第２係止部は、
前記第１係止部の上部に載置された状態で、該外側面が前記垂下部の内面と当接する上側係止部と、
前記第１係止部の下部に位置し、前記第１係止部の下部と係止する下側係止部と、
前記上側係止部と前記下側係止部との間に形成され、該外側面が前記第１係止部と当接することなく隙間が形成された状態で係止される中間係止部と、を有することを特徴とする浴槽排水構造。
【請求項２】
前記上側係止部の外側面が、前記垂下部の内面と当接した状態で係止されることで、前記浴槽排水口と前記接続部材の軸中心が一致することを特徴とする請求項１記載の浴槽排水構造。
【請求項３】
前記第２の係止部は、周状に間隔を空けて複数個形成されていることを特徴とする請求項１または２記載の浴槽排水構造。
【請求項４】
前記上側係止部の外径は、前記第１係止部の内径より大きく、且つ当接する垂下部の内径と同等に形成されており、
前記中間係止部の外径は、前記垂下部および前記第１係止部の内径より小さく形成されており、
前記下側係止部の外径は、前記第１係止部の内径より大きく、且つ前記上側係止部の外径より小さく形成されていることを特徴とする請求項１乃至３いずれか１項に記載の浴槽排水構造。
【請求項５】
前記中間係止部は水平方向に弾性変形することを特徴とする請求項１乃至４いずれか１項に記載の浴槽排水構造。
【請求項６】
前記接続部材は、前記浴槽内側から係脱可能であることを特徴とする請求項１乃至４いずれかに記載の浴槽排水構造。
【発明の詳細な説明】
【技術分野】
【０００１】
本発明は、遠隔操作で浴槽排水口の開閉を行うことが可能な浴槽排水構造に関する。
【背景技術】
【０００２】
一般的に、浴槽底面には、浴槽水を排水するための排水口が形成されている。浴槽の排水口には、排水口の開閉を行うための排水栓蓋が取り付けられており、その開閉操作を容易に行うために、浴槽リムに操作部を設け、遠隔操作で排水栓蓋の開閉を行うものが開示されている（例えば、特許文献１参照）。
【０００３】
操作部はワイヤーと連結されており、操作部の動きを排水栓蓋側に伝達することができる。一方、排水栓蓋とワイヤーの排水栓側端部の間、または操作部とワイヤーの操作部側端部の間には、メカボックスと言われる保持部材が取り付けられている。このメカボックスは、操作部の動きに応じて、上昇位置と下降位置とを交互に保持可能な保持機構が備えられている。例えば、特許文献１のように、排水栓蓋とワイヤーの排水栓側端部の間にメカボックスが配設される場合は、メカボックスが上昇位置で保持されている場合は排水栓蓋も上昇位置で保持され、開栓した状態となり、下降位置で保持されている場合は排水栓蓋も下降位置で保持され、閉栓した状態となる。また、操作部とワイヤーの操作部側端部の間にメカボックスが配設される場合は、メカボックスが下降位置で保持されている場合は排水栓蓋が上昇位置で保持され、開栓した状態となり、上昇位置で保持されている場合は排水栓蓋が下降位置で保持され、閉栓した状態となる。
【０００４】
また、ワイヤーの排水栓蓋側の端部と排水栓蓋との間には、排水栓蓋が、所定の位置で上下動するガイドとしての役割を果たす接続部材が必要となる。この接続部材は、筒状部と、筒状部の内部を上下に摺動可能なロッドとを備えており、ロッドが筒状部の内部を上下に移動することで排水栓蓋を所定の位置で上下動させることが可能となっている。この接続部材は、排水栓蓋とワイヤーの排水栓側端部の間にメカボックスが配設される場合には、メカボックスに接続部材の役割を持たせ、１部材で兼用させることも可能である。
【０００５】
この接続部材は、所定の位置で排水栓蓋を上下動させることが役割であるため、浴槽に対して固定されている必要がある。特許文献１の接続部材は、浴槽排水口に上方から取り付けられたフランジ部材に接続部材を係止し、固定させている。しかし、浴槽排水口にフランジ部材を設けると、浴槽とフランジ部材の間に汚れが付着しやすいという問題、付着した汚れを掃除しにくいという問題、フランジ部材があることによるデザイン性の悪化という問題があった。
【０００６】
そこで、フランジ部材を設けることなく、接続部材を直接、浴槽排水口に固定させることで清掃性とデザイン性を向上させることを試みたが、浴槽排水口は浴槽の成形時に同時に形成することができないため、成形後に後加工で貫通孔を穿設する必要がある。成形後に後加工で排水口を穿設すると、寸法誤差が出やすく、接続部材を浴槽排水口に固定できないという問題が生じる。
【０００７】
本発明は、上述した問題点に鑑み、フランジ部材を設けることなく接続部材を直接、浴槽に固定することができ、浴槽排水口の寸法誤差に対しても適応可能な浴槽排水構造を提供することを目的とする。
【特許文献１】特許第３６３３３３６号公報
【発明の開示】
【発明が解決しようとする課題】
【０００８】
本発明の態様は、フランジ部材を設けることなく接続部材を直接、浴槽に固定することができ、浴槽排水口の寸法誤差に対しても適応可能な浴槽排水構造を提供する。
【課題を解決するための手段】
【０００９】
本発明の一態様によれば、浴槽排水口を遠隔操作により開閉可能な排水栓装置を備えた浴槽排水構造であって、前記浴槽排水口は、上端から下方に垂れ下がるように形成された垂下部と、前記垂下部の下端から内方側に突出形成された第１係止部とを備え、前記排水栓装置は、前記浴槽排水口を開閉可能な栓蓋と、前記栓蓋の開閉を遠隔操作する操作部と、前記操作部の動きを伝達するワイヤーと前記栓蓋との間に接続され、前記排水口上方からの押圧操作により弾性変形することで前記第１係止部と係止可能な第２係止部を有する接続部材と、を備え、前記第２係止部は、前記第１係止部の上部に載置された状態で、該外側面が前記垂下部の内面と当接する上側係止部と、前記第１係止部の下部に位置し、前記第１係止部の下部と係止する下側係止部と、前記上側係止部と前記下側係止部との間に形成され、該外側面が前記第１係止部と当接することなく隙間が形成された状態で係止される中間係止部と、を有することを特徴とする浴槽排水構造が提供される。
【発明の効果】
【００１０】
本発明の態様によれば、フランジ部材を設けることなく接続部材を直接、浴槽に固定することができ、浴槽排水口の寸法誤差に対しても適応可能な浴槽排水構造を提供される。
【発明を実施するための最良の形態】
【００１１】
本発明を実施するための最良の形態を説明するに先立って、本発明の作用効果について説明する。
第１の発明は、浴槽排水口を遠隔操作により開閉可能な排水栓装置を備えた浴槽排水構造であって、前記浴槽排水口は、上端から下方に垂れ下がるように形成された垂下部と、前記垂下部の下端から内方側に突出形成された第１係止部とを備え、前記排水栓装置は、前記浴槽排水口を開閉可能な栓蓋と、前記栓蓋の開閉を遠隔操作する操作部と、前記操作部の動きを伝達するワイヤーと前記栓蓋との間に接続され、前記排水口上方からの押圧操作により弾性変形することで前記第１係止部と係止可能な第２係止部を有する接続部材と、を備え、前記第２係止部は、前記第１係止部の上部に載置された状態で、該外側面が前記垂下部の内面と当接する上側係止部と、前記第１係止部の下部に位置し、前記第１係止部の下部と係止する下側係止部と、前記上側係止部と前記下側係止部との間に形成され、該外側面が前記第１係止部と当接することなく隙間が形成された状態で係止される中間係止部と、を有することを特徴とする浴槽排水構造である。
【００１２】
この浴槽排水構造によれば、フランジ部材を設けることなく接続部材を直接、浴槽に固定することができ、浴槽排水口の寸法誤差に対しても適応可能な浴槽排水構造を提供することができる。
【００１３】
また、第２の発明は、第１の発明の実施形態において、前記上側係止部の外側面が、前記垂下部の内面と当接した状態で係止されることで、前記浴槽排水口と前記接続部材の軸中心が一致することを特徴とする浴槽排水構造である。
【００１４】
この浴槽排水構造によれば、寸法誤差の小さい垂下部と、接続部材を隙間無く当接させることで浴槽排水口に対して接続部材を所定の位置にズレなく配置することができる。このことから、第１の係止部と第２の係止部の間に所定の隙間が形成されるように接続部材を位置決めでき、浴槽排水口の寸法誤差に対しても適応可能な浴槽排水栓装置を提供することができる。
【００１５】
また、第３の発明は、第１の発明の実施形態または第２の発明の実施形態において、前記第２の係止部は、周状に間隔を空けて複数個形成されていることを特徴とする浴槽排水構造である。  
【００１６】
この浴槽排水構造によれば、少ない力で接続部材を浴槽排水口に係止させることが可能であるとともに、第２の係止部を間隔を空けて配設させることにより、浴槽排水時の排水性も向上させることができる。
【００１７】
また、第４の発明は、第１〜第３の発明のいずれかの実施形態において、前記上側係止部の外径は、前記第１係止部の内径より大きく、且つ当接する垂下部の内径と同等に形成されており、前記中間係止部の外径は、前記垂下部および前記第１係止部の内径より小さく形成されており、前記下側係止部の外径は、前記第１係止部の内径より大きく、且つ前記上側係止部の外径より小さく形成されていることを特徴とする浴槽排水構造である。  
【００１８】
この浴槽排水構造によれば、フランジ部材を設けることなく接続部材を直接、浴槽に固定することができ、浴槽排水口の寸法誤差に対しても適応可能な浴槽排水構造を提供することができる。
【００１９】
また、第５の発明は、第１〜第４の発明のいずれかの実施形態において、前記中間係止部は水平方向に弾性変形することを特徴とする浴槽排水構造である。  
【００２０】
この浴槽排水構造によれば、フランジ部材を設けることなく接続部材を直接、浴槽に固定することができ、さらに浴槽内側から接続部材を着脱することが可能となる。
【００２１】
以下、本発明の実施の形態について図面を参照しつつ説明する。なお、各図面中、同様の構成要素には同一の符号を付して詳細な説明は適宜省略する。
【００２２】
図１は、本発明の実施形態に係る浴槽の外観斜視図である。図１に表したように、本発明の実施形態に係る浴槽排水構造は、浴槽１と、浴槽１に取り付けられた排水栓装置１００と、を有する。
【００２３】
浴槽１は、成形品であり、浴槽底面３と、浴槽底面３の全周から上方に立ち上がるように形成された浴槽側面２と、浴槽側面２の上端から外方側に向かって延在するように形成された浴槽フランジ４とを有する。
【００２４】
図２および図３に表すように、浴槽底面３には、後加工で浴槽内の湯水を槽外に排出するための貫通孔２７が穿設されることで、浴槽排水口５が形成される。浴槽排水口５は、浴槽底面３と連続するように下方に垂れ下がるように形成された垂下部２１と、垂下部２１の下端から内方側、つまり貫通孔２７の中心側に向かって突出形成された第１係止部２２とが貫通孔２７の全周に形成されている。ここで、垂下部は成形時の型の抜き勾配の関係から必要ななだらかな傾斜部２５と、傾斜部２５と第１係止部の間に形成される垂直面状の垂直部２６とを有する。尚、上述した通り、第１係止部２２は、成形時には貫通孔２７が形成されていないため塞がれており、後加工により貫通孔２７が形成されることで係止部としての役割を果たすことが可能となる。
【００２５】
また、洗い場側に位置する浴槽フランジ４には、後述する排水栓装置１００を遠隔操作する操作部１０を取設するための開口が形成されている。
【００２６】
図１〜図３に表すように、排水栓装置１００は、浴槽排水口５を水密的に閉じたり、開いたりすることが可能な栓蓋１３と、浴槽フランジ４に形成された開口に取設され、栓蓋１３の開閉を遠隔操作するための押しボタン式の操作部１０と、浴槽１の裏面側に配置され、操作部１０の動きを栓蓋１３側に伝達するためのワイヤー１１と、下部側がワイヤー１１の栓蓋側の端部にネジ固定され、上部側が栓蓋の裏面に嵌合固定されていることで、ワイヤー１１の動きを栓蓋１３に伝達することが可能な接続部材１２と、を備えている。
【００２７】
接続部材１２には、主に、栓蓋１３を上昇位置と下降位置とに保持可能な保持機構部３０と、保持機構部３０の外方側に延びるように一体的に形成され、浴槽排水口５の第１係止部２２と係止することで、接続部材１２を浴槽排水口５に係止固定することが可能な第２係止部４４と、が形成されている。
【００２８】
保持機構部は、上面と下面が貫通した筒状部材３６と、筒状部材３６とは別体で形成されており、筒状部材３６の内部を上下方向に摺動可能に取り付けられたロッド３５とを備えており、ロッド３５の上部に栓蓋１３に嵌合固定されている。筒状部材３６に対して、ロッド３５が、スラストロック機構により、取り付けられているため、ロッドが上昇位置と下降位置とに交互に保持可能になっている。
【００２９】
このスラストロック機構の構成について詳述する。ロッド３５には、上面に係合歯を有する固定リングと下面に被係合歯を有する回転リングとを同軸上に具備している。また、筒状部材３６の内面には係止歯が形成されている。さらに、ロッド３５に対して、下側方向（閉栓方向）に付勢する付勢部材とが備えられている。
【００３０】
次に、このスラストロック機構の動作について詳述する。まず、栓蓋１３の閉栓から開栓への動作は、操作部１０の遠隔操作による押動力がワイヤー１１を介してロッド３５に伝達される。該押動力が付勢力に抗してロッド３５を押動することにより、固定リングが回転リングをロッド３５の内面に形成されている係止歯の上方まで押し上げる。その際、回転リングは固定リングの係合歯と回転リングの被係合歯との噛合の関係で正方向に回動し、該押動力が無くなると、付勢部材の付勢力を受けてロッド３５は、回転リングとともに下降を開始する。しかし、下降途中で被係合歯がロッド３５の内面に形成された係止歯に係止し、開栓状態のままで停止し所望の開栓動作を完了する。
【００３１】
一方、栓蓋１３の開栓から閉栓への動作は以下の通りである。操作部１０の遠隔操作による押動力がワイヤー１１を介してロッド３５を押動し、それとともに固定リングならびに回転リングが押し上げられ、噛合する固定リングの係合歯と回転リングの被係合歯との両歯の関係で、回転リングは更に正方向に微小角度回動する。該押動力が無くなると付勢部材の付勢力を受けて支持軸は回転リングとともに下降を開始する。ここで被係合歯が係止歯における外端の鋸歯部分に係合することで、回転リングは正方向に更に回動し、その鋸歯部分の案内機能で案内溝に案内されて回転リングがロッド３５とともに降下し、閉栓状態へと移行する。以上のように、該スラストロック機構とは、ロックとアンロックをワイヤー１１による押動操作の度に交互に繰り返す機構である。
【００３２】
図４に示すように、この保持機構部３０の外方側には、保持機構部３０から外周方向に向かって延びる複数の補強部４１が筒状部と一体的に形成されている。さらに、複数の補強部４１の外方側端部には、周状に形成された環状縁部４２が補強部４１と一体的に形成されている。ここで、浴槽内の湯水を排出するために、各補強部４１の間には可能な限り大きな開口が形成されていることが必要である。
【００３３】
この環状縁部４２には、下側方向に延出した第２係止部４４が形成されている。図３に示すように、第２係止部４４は、第１係止部２２と係止した状態において、第１係止部２２の上部に載置される上側係止部４７と、第１係止部２２の側方に位置する中間係止部４８と、第１係止部の下部に引っ掛けられる下側係止部４９とが形成されており、環状縁部４２、補強部４１および筒状部３６と一体的に形成されている。
【００３４】
第２係止部４４によって、接続部材１２は、浴槽１内側（浴槽排水口５の上方側）から、浴槽排水口５に形成された第１係止部２２と係脱可能に取り付けられる。詳しくは、若干、薄肉に形成された中間係止部４８が、接続部材１２の中心方向（内方側）に弾性変形することで、接続部材１２を第１係止部２２に取り付けたり、取り外したりすることが可能となる。
【００３５】
このように、本発明によれば、保持機構部３０を有する接続部材１２を直接、浴槽排水口５に係止させることが可能となる。従来は、金属製のフランジ部材を浴槽排水口の上下側から締付け固定させ、該フランジ部材に対して、本発明でいう接続部材を係止固定させていたため、部品点数が多くコストがかかるという問題や、フランジ部材と浴槽底面との間に隙間が発生し、その隙間にゴミが溜まり易く、且つ掃除もしにくいという問題があったが、本発明によれば、それら従来の課題を解決することができる。
【００３６】
本発明では、さらに浴槽排水口５に直接、接続しようとした際に生じる課題についても、解決しており、以下にその課題と解決手段について詳述する。
【００３７】
上述した通り、浴槽排水口５を形成するための貫通孔２７は、浴槽１の成形時に同時に成形することができないため、浴槽成形の後に後加工で貫通孔２７を穿設する必要がある。後加工で貫通孔２７を穿設した際には、貫通孔２７の寸法誤差が大きいため、接続部材１２を係止させて浴槽排水口５に固定させようとしても、誤差を吸収できず、接続部材１２を係止できないおそれがある。
【００３８】
穿設される貫通孔２７の寸法誤差の影響をなくすために、本発明では以下のような対策を行っている。
【００３９】
第１係止部２２と第２係止部４４が係止された状態において、上側係止部４７の外側面が垂下部２１の内面（具体的には、垂直部２６）と当接した状態で取り付けられる取り合いとしている。このようにすることで、浴槽排水口５の貫通孔２７と、接続部材１２の軸中心が一致し、ずれることなく所定の位置に接続部材を配置させることが可能となる。
【００４０】
さらに、第１係止部２２と第２係止部４４が係止された状態において、中間係止部４８の外面と、第１係止部２２の内面（先端）とは当接することなく、所定の隙間Ｓが形成されるような取り合いとしている。この隙間Ｓを、貫通孔２７を穿設する際に生じる最大誤差以上にしておくことで、誤差範囲内の貫通孔２７に対しては、ほぼ確実に接続部材１２を直接、浴槽排水口５に係止させることが可能となる。
【００４１】
次に、第１係止部２２と浴槽排水口５との寸法関係について、以下に詳述する。周状に配置された上側係止部４７の外径は、第１係止部２２の内面（先端）の内径より大きく、且つ当接する垂下部２１（具体的には、垂直部２６）の内径と同等に形成されている。また、周状に配置された中間係止部４８の外径は、垂下部２１および第１係止部２２の内面（先端）の内径より小さく形成されている。さらに、爪状に形成された下側係止部４１の外径は、第１係止部２２の内径より大きく、且つ上側係止部４７の外径より小さく形成されている。このような、寸法で第１係止部２２と浴槽排水口５を設計することで、ほぼ確実に接続部材１２を直接、浴槽排水口５に係止させることが可能となる。
【００４２】
以上の通り、本発明によれば、フランジ部材を設けることなく接続部材を直接、浴槽に固定することができ、浴槽排水口の寸法誤差に対しても適応可能な浴槽排水構造を提供することができる。
【００４３】
尚、上述した実施形態では、複数形成された中間係止部４８の外側面は、全てが第１係止部２２の内面（先端）と当接してはならないわけではない。例えば、中間係止部４８の外側面４８の一部が、第１係止部２２の内面（先端）と当接していたとしても、穿設される貫通孔２７の加工寸法誤差の影響を受けずに下側係止部で係止できるものであれば良い。
【００４４】
また、上述した実施形態では、接続部材１２に保持機構部３０を具備していたが、接続部材１２は、ワイヤー１１に接続されるロッド３５を、上下方向にガイドできる機能だけを具備し、保持機構は操作部１０と、ワイヤー１１の操作部側端部との間に取り付けられるものであっても良い。操作部側に保持機構部３０を取り付けることにより、保持機構部に浴槽排水が接触することがなくなるため、汚れなどが固着し、ロック機構に支障がでることを防止できるため、好ましい。
【図面の簡単な説明】
【００４５】
【図１】本発明の実施形態に係る浴槽の外観斜視図である。
【図２】本発明の実施形態に係る浴槽排水構造を表した断面図である。
【図３】本発明の実施形態に係る浴槽排水構造を表した断面斜視図である。
【図４】本発明の実施形態に係る浴槽排水構造を表した平面図である。
【符号の説明】
【００４６】
１  浴槽、  ２  浴槽側面、  ３  浴槽底面、  ４  浴槽フランジ、  ５  浴槽排水口、  １０  操作部、  １１  ワイヤー、  １２  接続部材、  １３  蓋栓、  １４  水密パッキン、  ２１  垂下部、  ２２  第１係止部、  ２５  傾斜部、  ２６  垂直部、  ２７  貫通孔、  ３０  保持機構部、  ３５  ロッド、  ３６  筒状部、  ４１  補強部、  ４２  環状縁部、  ４４  第２係止部、  ４７  上側係止部、  ４８  中間係止部、  ４９  下側係止部、  Ｓ  隙間
【図１】
2010001678.tif 000003
【図２】
2010001678.tif 000004
【図３】
2010001678.tif 000005
【図４】
2010001678.tif 000006